(57)【要約】【課題】バレル内にプランジャーを摺動させ挿入させる際、操作中にバレルが破損しても破損したガラスが指に接触せず、怪我から保護されるシリンジを提供すること。【解決手段】シリンジは、一端に針１１が装着され、他端に開放口１２及び該開放口の周囲に設けられたフランジ１５を有する円筒状のガラス製バレル１３と、該バレル内を摺動して進退するプランジャー１４とが備えられ、バレルが挿入される円筒部１８ａと、該円筒部の一端の開放口１８ｂの周囲に設けられ、バレルのフランジに当接する係止部１８ｃとを有する保護具１８と、バレルに装着された保護具を固定する略環状の固定具１９とが設けられたものである。【選択図】　　図１
2004012428.tif 000002
【特許請求の範囲】
【請求項１】
一端に針が装着され、他端に開放口及び該開放口の周囲に設けられたフランジを有する円筒状のガラス製バレルと、該バレル内を摺動可能に進退するプランジャーとが備えられたシリンジにおいて、前記バレルを挿入する円筒部と、該円筒部の一端の開放口の周囲に設けられ、前記バレルの前記フランジに当接する係止部とを有する保護具が装着されたことを特徴とするシリンジ。
【請求項２】
バレルに装着された前記保護具を固定する環状の固定具が設けられたことを特徴とする請求項１記載のシリンジ。
【請求項３】
プランジャーの先端に可撓性を有するフッ素樹脂製の密封部材が設けられたことを特徴とする請求項１又は２いずれか記載のシリンジ。
【請求項４】
一端に針が装着され、他端に開放口及び該開放口の周囲に設けられたフランジを有する円筒状のガラス製バレルと、該バレル内を摺動可能に進退するプランジャーとが備えられたシリンジに装着される保護具であって、前記バレルを挿入する円筒部と、該円筒部の一端の開放口の周囲に設けられ、前記バレルの前記フランジに当接する係止部とを有することを特徴とする保護具。
【請求項５】
前記円筒部の他端の開放口の周囲に当接し、保護具を固定する環状の固定具を有することを特徴とする請求項４記載の保護具。
【発明の詳細な説明】
【０００１】
【発明の属する技術分野】
本発明は、シリンジや、その保護具に関し、より詳しくは、特にガラス製バレルの破損による怪我を回避して安全性を向上させることができるシリンジや、その保護具に関する。
【０００２】
【従来の技術】
従来より、液体ガスクロマトグラフィー装置で分析を行なうにあたり、溶媒に溶解した試料をガスタイトシリンジを用いて装置に注入している。ガスタイトシリンジ等、医療用注射器と同様の構造を有するこの種のシリンジとしては、図５に示すように、一端に針１が装着され、他端に開放口２を有する円筒状のバレル３と、バレル３の開放口２から挿入されバレル３内を摺動するプランジャー４とで構成されている。また、注入操作を容易なものとするために、バレル３の開放口２の周囲には突状部５が設けられ、プランジャー４の末端部には円板状の押圧部６が設けられ、バレル３に装着された針１の先端を試料等に浸漬し、プランジャー４の押圧部６を持ってバレル３からプランジャー４を退出させることにより、バレル３の内部に試料等を導入し、秤量したバレル３内の試料等を注出するときは、バレル３の開放口２の周囲に設けられるフランジ５に人差し指と中指をかけ、プランジャー４の末端に設けられる押圧部６を親指で押すことにより、プランジャー４がバレル３を摺動、進入し、バレル３内の試料等を針１の先端から注出できるようになっている。
【０００３】
このようなシリンジを使用する際、バレル内に保持される物質の安定性を確保したり、注射器の取扱者の安全性を確保するため、例えば、特開平１１−３４７１２４号公報には、開放前端部を有するガラス製の中空シリンダーの形状の円筒形のバレルと、バレル内に密封可能に配置され、バレルに対して移動可能であるプランジャーと、バレルの内径よりもやや大きい外径を有し、バレルの前端部を密封する手段を含む円筒形ストッパーと、バレルの前端部に密封関係で取り付けられたカラー、注射針に流体を案内するように機能する開口を含む後面を有する、注射針に密封可能に結合するネック、及びカラーに密封可能に結合する後端部とネックに密封可能に結合する前端部を有する中空の内部シャフトを含む針ホルダーとを包含する予備充填可能な注射器であって、長期間にわたってバレル内の室内に存在する物質のｐＨが所望の範囲内に維持される注射器等が開示されている。
【０００４】
また、特開平９−１２２２４０号公報には、一端が閉塞し、他端が開放した筒状針カバーであり、針カバーは軸方向にスライド可能な上部スライド板と、スライド板に係合する針収納ケースを有し、針収納ケースには下部に注射針を収納する針収納部と、上部の側壁の両側にスライド板が係合するガイドリブと、両ガイドリブの間に筋状の隙間が形成され、上部スライド板には開放端側に、注射針基を保持可能な注射針基保持部とガイドリブに係合するガイド溝とが形成された注射針カバーであって、針カバーを脱着する際の注射針の使用前後における誤穿刺や汚染の可能性のある患者の血液への接触を防止することができる注射針カバーが開示されている。
【０００５】
しかしながら、従来のシリンジにおいては、ガラス製のシリンジが操作中に破損した場合、取扱者に対する安全性を考慮したものはなかった。特に、揮発性の高い試料を扱う場合、プランジャー４の先端に、可撓性を有するフッ素樹脂製の密封部材７を設け、バレル３の内壁とプラジャー４間の間隙を密封し気密性を向上させたガラス製のシリンジを使用するため、試料を注入する際、密封部材７とバレル３の内壁との摩擦抵抗が大きく、大きな力を加えてプランジャー４を摺動させる必要があった。通常、バレル３は硬質ガラス製であるため破損の可能性は比較的低いが、このような密封部材７を設けたプランジャー４を使用したガスタイトシリンジのバレル３に傷、ひびが入っていると、使用中にバレル３が破損し思わぬ怪我をする危険性があった。
【０００６】
【発明が解決しようとする課題】
本発明は、簡単な構造により、シリンジの破損による怪我を回避でき、取扱者の安全性が向上されたシリンジや、その保護具を提供することを目的とする。
【０００７】
【課題を解決するための手段】
本発明者は、構造が簡単であること、形状に容易に適合できること、作製が容易であることを基本コンセプトとして鋭意研究し、容易に作製できる保護具を装着すると、破損による怪我を回避することができるシリンジが得られることを見い出し、本発明を完成するに至った。
【０００８】
すなわち本発明は、一端に針が装着され、他端に開放口及び該開放口の周囲に設けられたフランジを有する円筒状のガラス製バレルと、該バレル内を摺動可能に進退するプランジャーとが備えられたシリンジにおいて、前記バレルを挿入する円筒部と、該円筒部の一端の開放口の周囲に設けられ、前記バレルの前記フランジに当接する係止部とを有する保護具が装着されたことを特徴とするシリンジに関し、特に、バレルに装着された前記保護具を固定する環状の固定具が設けられたことを特徴とする請求項１記載のシリンジ（請求項２）や、　プランジャーの先端に可撓性を有するフッ素樹脂製の密封部材が設けられたことを特徴とする請求項１又は２いずれか記載のシリンジ（請求項３）に関する。
【０００９】
また、本発明は、一端に針が装着され、他端に開放口及び該開放口の周囲に設けられたフランジを有する円筒状のガラス製バレルと、該バレル内を摺動可能に進退するプランジャーとが備えられたシリンジに装着される保護具であって、前記バレルを挿入する円筒部と、該円筒部の一端の開放口の周囲に設けられ、前記バレルの前記フランジに当接する係止部とを有することを特徴とする保護具（請求項４）に関し、特に、前記円筒部の他端の開放口の周囲に当接し、保護具を固定する環状の固定具を有することを特徴とする請求項４記載の保護具（請求項５）に関する。
【００１０】
【発明の実施の形態】
本発明のシリンジは、一端に針が装着され、他端に開放口及び該開放口の周囲に設けられたフランジを有する円筒状のガラス製バレルと、該バレル内を摺動可能に進退するプランジャーとが備えられたシリンジにおいて、前記バレルを挿入する円筒部と、該円筒部の一端の開放口の周囲に設けられ、前記バレルの前記フランジに当接する係止部とを有する保護具が装着されたものであれば、特に限定されたものではなく、バレルに装着された前記保護具を固定する環状の固定具が設けられたものが好ましく、また、プランジャーの先端に可撓性を有するフッ素樹脂製の密封部材が設けられたものが好ましい。
【００１１】
本発明のシリンジのバレルはガラス製であり、円筒状を有し、一端に針が装着され、他端は開放口になっている。開放口の周囲にはフランジが設けられ、後述するプランジャーを操作する際に、人差し指と、中指を掛けて容易に操作ができるようになっている。
【００１２】
本発明のプランシャーは円筒状のバレルに挿入され、バレル内を摺動することにより液体試料を導入し、バレル内に導入された試料を放出するものである。すなわち、バレルの先端に装着された針の先端を液体試料に配置し、バレルに挿入されたプランジャーを所定の位置まで退出させることにより、バレル内に試料を秤量して導入し、プランジャーをバレル内に進入させることにより、試料を注出するようになっている。
【００１３】
本発明のシリンジに装着される保護具は、バレルが挿入される円筒部と、円筒部の一端の開放口の周囲に設けられる係止部とで構成され、係止部はバレルのフランジに当接されるようになっている。かかる保護具の材質としては特に制限されないが、プラスチック製とすることが好ましい。本発明のプラスチック製等の保護具は公知の方法で作製することができるが、簡便な保護具の作製方法として、プラスチック製の注射器から作製する方法を挙げることができる。例えば、シリンジのバレルを挿入することができるプラスチック製の注射器のバレルを利用し、プラスチック製注射器のバレルと、その開放口の周囲に設けられる突状部とをそれぞれ保護具の円筒部と、係止部として適用することにより、容易に保護具を作製することができる。保護具は、好ましくは、環状の固定具によりバレルに固定されて使用される。
【００１４】
本発明の固定具は、保護具をバレルに固定し、保護具の移動を防止するために設けられるものであり、バレルを挿入することができる環状構造を有し、バレルに嵌入され、保護具の円筒部の係止部が設けられる開放口と反対側の開放口の周囲に当接し、保護具をバレルに固定するものである。このため、固定具は、バレルを挿入しバレルに固着可能であるように、適度な可撓性を有するものが好ましく、フッ素樹脂製であることが特に好ましい。
【００１５】
本発明のシリンジによれば、シリンジのガラス製のバレルの突状部に当接する保護具を装着したため、バレル内に導入された試料を注出する場合、バレル内にプランジャーを摺動させ挿入させるとき、バレルの突状部には直接指が接触せず、プラスチック製の保護具を介してバレルの突状部を負荷することになるため、操作中にバレルが破損しても破損したガラスが指に接触せず、怪我から保護される。
【００１６】
【実施例】
本発明のシリンジをガスタイトシリンジに適用した好ましい実施の形態を、図面を参照して説明する。
尚、図１は本発明の一実施例を示す斜視図、図２は本発明の一実施例の保護具を示す斜視図、図３は本発明の一実施例の保護具の作製方法を示す斜視図、図４は本発明の一実施例の作用を示す分解斜視図である。
ガスタイトシリンジは、図１に示すように、円筒状のガラス製のバレル１３と、バレル１３の開放口１２から挿入されバレル１３内を摺動するプランジャー１４とを有する。
【００１７】
バレル１３は、一端に針１１が装着され、他端に開放口１２を有し、開放口１２の周囲にはフランジ１５が設けられる。フランジ１５は、指を掛けてプランジャー１４をバレル１３内に挿入する操作が容易にできるような幅を有する。
プランジャー１４には、末端に円板状の押圧部１６が設けられ、押圧部１６を押すことによりバレル１３にプランジャー１４を摺動、挿入を容易にできるようになっている。プランジャー１４の押圧部１３に挿入される先端にはフッ素樹脂製の密封部材１７が設けられ、プランジャー１４がバレル１３を摺動することを可能としつつ、プランジャー１４とバレル１３間の間隙を密封し、バレル１３内に導入された試料が揮発性のものであっても、揮発を防止することができるようになっている。
【００１８】
保護具１８は、図２に示すように、円筒部１８ａと、円筒部１８ａの一端の開放口１８ｂの周囲に設けられる係止部１８ｃとで構成され、円筒部１８ａは円筒状のバレル１３を挿入できるように、バレル１３の外径よりやや大きい内径を有し、係止部１８ｃはバレル１３のフランジ１５の外径より大きい外径を有する平面状の略環状形状となっており、係止部１８ｃはバレル１３のフランジ１５に当接され、且つ、プランジャー１４をその押圧部１６を押圧してバレル１３内に挿入し、バレル１３内に導入された試料を針１１先から注出するとき、指が直接フランジ１５に接触しないようになっている。保護具１８は、バレル１３のフランジ１５と、プランジャー１４の押圧部１６との操作に支障をきたさないように、また、ガラス製のバレル１３が操作中に破損した場合でも、指を保護することができるように、適度な硬度を有することが要求され、適度な厚さを有するポリエチレン等のプラスチック製であることが好ましい。保護具１８は、好ましくは、環状の固定具１９によりバレルに固定されて使用される。
【００１９】
このような保護具１８は、プラスチック製の注射器から容易に作製することができる。例えば、図３に示すように、ガスタイトシリンジのバレルを挿入することができるプラスチック製の注射器のバレル８を、Ａ−Ａで切断し、プラスチック製注射器のバレルの円筒部８ａの一部と、その開放口８ｂに設けられる突状部８ｃとをそれぞれ保護具１８の円筒部１８ａと、係止部１８ｃとして適用することにより、容易に保護具１８を作製することができる。
【００２０】
固定具１９は、保護具１８をバレル１３に固定し、操作時に保護具１８の移動を防止するものであり、バレル１３のフランジ１５に係止部１８ｃが当接した状態で装着された保護具１８の係止部１８ｃが設けられた開放口１８ｂと反対側の開放口１８ｄの周囲に当接するように、バレル１３に装着されることにより、保護具１８を固定するようになっている。このため、固定具１９は適度な可撓性を有するフッ素樹脂製である。
【００２１】
このようなガスタイトシリンジの作用を以下に説明する。
図４に示すように、ガスタイトシリンジのバレル１３を、保護具１８の係止部１８ｃが設けられた開放口１８ｂ側から、バレル１３のフランジ１５に係止部１８ｃが当接するまで挿入した後、固定具１９を保護具１８の開放口１８ｄの周囲に当接するようにバレル１３に装着させ、保護具１８をバレル１３に固定する。その後、バレル１３に針１１を装着させる。
【００２２】
バレル１３に装着された針１１の先端を試料に浸漬し、プランジャー１４の押圧部１６を持ってバレル１３からプランジャー１４を退出させることにより、バレル１３の内部に試料を所望の量を秤量して導入する。バレル１３内に導入した試料をガスクロマトグラフィー装置等に注入するときは、バレル１３に装着された保護具１８の係止部１８ｃに人差し指と中指をかけ、プランジャー１４の末端に設けられる押圧部１６を親指で押すことにより、プランジャー１４がバレル１３を摺動し、バレル１３内の試料を針１１の先端から液体ガスクロマトグラフィー装置等へ注入する。このため、揮発性の試料を使用するため密封部材１７を設けたプランジャー１４であって、保護具１８の係止部１８ｃを介してバレル１３のフランジ１５に大きな負荷が加えられ、バレル１３に生じていたひびに起因してバレル１３が破壊しても、指がバレル１３に直接接触していないため、怪我を回避することができる。
以上の説明は本発明のガスタイトシリンジの一実施例の説明であって、本発明はこれに限定されず、本発明の保護具は、医療用注射器等にも適用することができる。
【００２３】
【発明の効果】
上記説明からも明らかなように、本発明のシリンジによれば、ガラス製のバレルの突状部に当接する保護具を装着したため、バレル内に導入された試料を注出する際、バレルのフランジには直接指が接触せず保護具を介してバレルのフランジを負荷することになるため、操作中にバレルが破損しても破損したガラスが指に接触せず、怪我から保護される。
【図面の簡単な説明】
【図１】本発明のシリンジの一実施例を示す斜視図である。
【図２】本発明のシリンジの一実施例の保護具を示す斜視図である。
【図３】本発明のシリンジの一実施例の保護具の作製方法を示す斜視図である。
【図４】本発明のシリンジの一実施例の作用を示す分解斜視図である。
【図５】従来例を示す斜視図である。
【符号の説明】
８……ポリエチレン製の注射器
１１……針
１２……開放口
１３……バレル
１４……プランジャー
１５……フランジ
１８……保護具
１８ａ……筒状部
１８ｂ、１８ｄ……開放口
１８ｃ……係止部
１９……固定具
【図１】
2004012428.tif 000003
【図２】
2004012428.tif 000004
【図３】
2004012428.tif 000005
【図４】
2004012428.tif 000006
【図５】
2004012428.tif 000007